(57)【要約】【課題】災害時の非常用トイレの糞尿処理袋として、安全性を保持して便器へのセットがし易く、用便時の開口部が十分確保できて、使用感が良く、かつ、小型、軽量、携帯可能なコンパクトで安価な非常用糞尿処理袋の提供が求められていた。【解決手段】本考案は、糞尿袋の開口部から近距離の下部に開口部と並行に切り込みを四か所設け、便座片の引っ掛け部に、切り込み部を引っ掛けて係止する。次に、もう一方の同形便座片を折り畳み、同形の便座片を重ね合わせて接合材で固定する。強度、安定性、美観に優れ、用便時の開口部面積と安全性を十分確保でき、コストも抑制できた。又、便座シートは中央部で折り畳みできる構造にしたことで、嵩張らず携帯や備蓄に便利な態様で課題を解決できる。【選択図】図３
0003145924.tif 000002
【実用新案登録請求の範囲】
【請求項１】
便座シート四隅から尻穴部方向に３０ｍｍ〜７０ｍｍの距離に引っ掛け部四か所を有し、該引っ掛け部に糞尿処理袋の開口部下部の四か所に設けた切り込みを引っ掛けて係止する事を特徴とする非常用糞尿処理袋。
【請求項２】
前記、請求項１記載の非常用糞尿処理袋で、便座シートは同形便座片を重ね接続する事で一つと成すが、同形便座片の一方のみに引っ掛け部四か所を有する事を特徴とする非常用糞尿袋。
【請求項３】
前記、請求項１及び２記載の非常用糞尿袋で、便座シートは同形便座片を重ね、接続して成るが、糞尿処理袋の開口部が二つの便座片の間に挟まれた構造である事を特徴とする非常用糞尿処理袋。
【請求項４】
前記、請求項１、２及び３記載の非常用糞尿袋で、便座シートは中央部から二つに折り畳みできることを特徴とする非常用糞尿処理袋。
【考案の詳細な説明】
【技術分野】
【０００１】本考案は非常用糞尿処理袋に関する。
【背景技術】
【０００２】非常用トイレとして糞尿処理袋があるが、いわゆるポリ袋をポータブルトイレや介護用トイレ等にセットして使用するものが多い。この際、袋のみだとセットがし難くかったり、外れやすかったりし、後処理も面倒である。便座シート付き糞尿処理袋は取り付けが簡単であるが、価格が高い為になかなか普及しにくいのが現実である。又、非常用携帯トイレとしては、嵩が張ることや、便座椅子の運搬や保管が難しいので、普及が進んでいない状態である。【０００３】従来、非常用トイレとしての糞尿処理袋では、便座シートを処理袋に保持する事が難しいばかりでなく、袋の開口部を十分確保する為に製作工程が複雑になってコストが高くなった。そこで、災害時の非常用として、使い易く、強度が充分あって嵩張らず、安全性が高く、しかも折り畳み可能で軽量、安価な非常用糞尿袋の提供が望まれていた。
【考案の開示】
【考案が解決しようとする課題】
【０００４】本考案は災害時の非常用トイレの糞尿処理袋として、便器へのセットが容易い事。開口部を十分確保できて使用感が良いもの。しかも、便座が折り畳み可能で安全で軽量、安価な非常用糞尿処理袋の提供にある。
【課題を解決するための手段】
【０００５】上記の課題を解決すべく本考案者らは鋭意検討した結果、上記の課題は次のような手段によって解決することがわかった。
即ち、袋の開口部から近距離の下部に開口部と平行に切り込みを四か所設け、同形の便座片の引っ掛け部を有す便座尻穴部に袋を入れ、切り込み部を引っ掛け部に引っ掛けて係止する。次に、もう一方の同形便座片を折り畳み、同形の両者を重ね合わせて接合剤で固定する。これだけで、強度、美観に優れ、使用時の開口部面積も十分確保できた。又、便座シートと糞尿袋の接続に接着剤や接続器具を使用せずに係止するだけの構造にした事で、作業効率が大幅に向上し、コストを抑制する事が出来る。更に、便座シートは中央部から折り畳みができる構造にすることで、上記課題を解決できることがわかった。
【考案の効果】
【０００６】本考案は、非常用の便座シート付き糞尿処理袋において、袋の開口面下部の近距離に開口部と平行な切れ込みを四か所に有し、同形の二つの便座片の一つに四か所の引っ掛け部を施し、該引っ掛け部に先の袋の切れ込みを嵌め入れて、糞尿処理袋の底を引っ張ると袋と便座片はしっかりと係止できる。次に、もう一方の同形の便座片を接続部で折り曲げて重ね合わせて接着すると、便座の強度がアップし、使用感も良くなった。この際、同形の二つの便座片は連続する物を折り曲げても良く、二つが不連続のものを重ねても良い。又、従来は開口部で十分な面積を確保するためには袋に襠を必要としたが、本考案では襠が無くても十分な開口部を確保できることが分かった。更に、便座シートを中央部で折り畳みできる構造にした事で、軽量、小寸法の糞尿処理袋となった。安価で省スペースの糞尿処理袋は、非常時への備蓄に好適でトイレ不足解消とトイレの快適性向上等に結びつけることが可能となる。
【考案を実施するための最良の形態】
【０００７】本考案は、糞尿処理袋で開口面の近距離に開口面と平行に四か所に切れ目を入れ、同形の便座片の一方に四か所の引っ掛け部を有する便座の尻穴部を通過させ、四か所の引っ掛け部に袋の四か所の切り込みを嵌め入れて、糞尿処理袋の底部を引っ張ると袋と便座片はしっかりと係止できる。次に、同形便座片のもう一方を接続部で折り曲げ、又は重ねて、先の便座片に重ね合わせて接着すると出来上がる。この様に糞尿処理袋と便座シートをしっかりと簡単に係止できる事で、品質の安定、製造工程の効率化、コスト低減が図れた。更に、折り畳み可能で、軽量なことから携帯用としても使用できて、しかも用便時の開口部を十分確保できる態様である。
最終的な形態は図３の状態となる。
【実施例１】
【０００８】以下、本考案を図面を用いて詳細に説明する。
図１は本考案の部品見取り図である。糞尿袋３の開口部３−１の下部近距離に四本の切れ込み３−２を入れ、同形の便座片１に四か所の引っ掛け部１−２を有する便座の尻穴部１−１を通過させ、四か所の引っ掛け部１−２に袋の四か所の切れ込み３−２を嵌め入れて、糞尿処理袋の底部３−３を引っ張ると袋と便座片はしっかりと係止できる。次に、もう一方の同形の便座片２を先の便座片１に重ねて接合材で接合する。図１では同形の便座片１，２が便座片折り畳み部２−５で連続しているが、便座片１，２が別々に存在しているものを重ね、接合しても構わない。握り手部１−４，２−４を設けて、取り扱いがし易い態様である。【０００９】図２は図１の糞尿袋３の開口部３−１の下部近距離に設けた四か所の切り込み３−２を、便座片１の四か所に設けた引っ掛け部１−２に引っ掛けて糞尿処理袋底部３−３を引いて係止した見取図である。【００１０】図３は図２の状態から同形の便座片２を重ね、接合した状態である。この時、糞尿袋の開口部の切り込み３−２は引っ掛け部１−２で係止された状態で、同形の便座片１と２の間に挟まれ目視できない形に成形される。又、便座シートは中央折り曲げ部２−３で二つに折り曲げることができて小型化が出来た。更に、用便時の便座シートは使用感、美観も良く用便時の開口も十分となり、使用後は糞尿袋密閉用のシール部２−６を閉じる態様の見取図である。【００１１】図４は本考案の糞尿処理袋の便座シート中央折り曲げ部２−３を折り畳んだ状態であるが、これを非常用持ち出し袋３８０ｍｍ×３００ｍｍ×１００ｍｍに収納できる事が判った。パイプ式や段ボールの組み立て便器やポンチョ等と一緒に非常用持ち出し袋に収納すれば、避難用としての活用の場が大きく広がる事が期待できる事が判った。【００１２】図１から図４の本考案の材質と寸法について以下に説明する。
糞尿処理袋３は３００ｍｍ〜５５０ｍｍ×３００〜４３０ｍｍで、切り込み部３−２は便座シート四隅から尻穴部方向に３０ｍｍ〜７０ｍｍの距離に５０ｍｍ〜９０ｍｍの長さが好ましく、材質は、ポリエチレン、ポリプロピレン等が適していて、さらに炭酸カルシウムやカーボン等で着色して内容物が見えないようにしたものが好ましい。便座シートは２８０ｍｍ〜３８０ｍｍ×２８０ｍｍ〜３８０ｍｍで、中央に直径１８０ｍｍ〜２７０ｍｍの円空または楕円空等の尻穴部１−１を形成し、中央折り曲げ部２−３で二つ折りの構造にする。又、便座片に設ける引っ掛け部１−２は角を丸めた鉤型や「つ」型に便座片を抜く事で簡単にできる。材質は段ボール、白ボール紙、黄ボール等の紙材が好ましく、便座片の接合にはエチレン酢酸ビニル系ホットメルト剤、液系酢酸ビニル等が好ましい態様である。
【産業上の利用可能性】
【００１３】震災などで被災した場合には水道や電気など、いわゆるライフラインが遮断される事が想定される。特に、都市部では非常時の排泄物の処理が深刻な問題である。このような状況のために、安価で軽量、コンパクトで嵩張らず、折り畳み糞尿処理袋の提供は利便性だけでなく、トイレ不足解消のために省スペースで備蓄できるので普及が見込める。また、非常持ち出し袋の中に入れて、携帯用として備えることができるので利用範囲が広がった。
【図面の簡単な説明】
【００１４】
【図１】接続した同形の便座片の立面図と糞尿処理袋の見取り図
【図２】便座片の引っ掛け部に糞尿袋を引っ掛けて係止した状態の見取り図
【図３】図２の状態から同形の便座片を重ねて接合し、使用状態にした便座付き糞尿処理袋の見取り図
【図４】便座付き糞尿処理袋の便座シート部を中央部から二つ折した立面図
【符号の説明】
【００１５】１        ：便座片
１−１    ：尻穴部
１−２    ：引っ掛け部
１−３    ：便座シート中央折り曲げ部
１−４    ：握り手部
２        ：便座片
２−１    ：尻穴部
２−３    ；便座シート中央折り曲げ部
２−４    ：握り手部
２−５    ：便座片接続折り畳み部
２−６    ：糞尿袋密閉用シール部
３        ：糞尿袋
３−１    ：糞尿袋開口部
３−２    ：切り込み
３−３    ：糞尿袋底部
【図１】
0003145924.tif 000003
【図２】
0003145924.tif 000004
【図３】
0003145924.tif 000005
【図４】
0003145924.tif 000006
【手続補正書】
【提出日】平成20年8月1日(2008.8.1)
【手続補正１】
【補正対象書類名】実用新案登録請求の範囲
【補正対象項目名】請求項３
【補正方法】変更
【補正の内容】
【請求項３】
前記、請求項１又は２記載の非常用糞尿袋で、便座シートは同形便座片を重ね、接続して成るが、糞尿処理袋の開口部が二つの便座片の間に挟まれた構造である事を特徴とする非常用糞尿処理袋。
【手続補正２】
【補正対象書類名】実用新案登録請求の範囲
【補正対象項目名】請求項４
【補正方法】変更
【補正の内容】
【請求項４】
前記、請求項１〜３のいずれか１項に記載の非常用糞尿袋で、便座シートは中央部から二つに折り畳みできる事を特徴とする非常用糞尿処理袋。